(57)【要約】【課題】第三者によって通話記録やメール等の個人情報を閲覧されたり、通話等の課金サービスや電子決済サービス等を不正に利用されることを防止し、位置を早期に特定することのできる無線通信端末を提供すること。【解決手段】遠隔制御手段８１は、通信手段４０で受信した遠隔操作情報の内容に基づき、入力制御手段８２に対して、入力手段２０が受け付けた入力信号を通知しないように制御し、位置情報取得手段７０で取得した位置情報を通信手段４０で外部へ送信した後、電源制御手段８４を介して、電源手段５０の給電を停止する。【選択図】図１
2007028370.tif 000002
【特許請求の範囲】
【請求項１】
各部に電力の供給を行う電源手段と、
各種操作の入力を受け付ける入力手段と、
外部とネットワークを介して通信を行う通信手段と、
位置情報を取得する位置情報取得手段と、
前記通信手段で受信した遠隔操作情報の内容に基づいて、前記入力手段からの入力を無効にし、前記位置情報取得手段で取得した位置情報を前記通信手段により外部へ送信した後、前記電源手段の給電を停止する制御手段とを有することを特徴とする無線通信端末。
【請求項２】
前記遠隔操作情報が、時刻又は時間間隔を示す情報を含んでおり、
時刻を計時する計時手段と、
前記計時手段が前記時刻又は前記時間間隔を経過したか否かを監視する計時監視手段とを有し、
前記制御手段は、前記入力が無効であって前記電源手段の給電が停止されているときに、前記計時監視手段が前記時刻又は時間間隔を経過したことを検出すると、前記電源手段の給電を開始させ、前記通信手段により前記ネットワークから受信した遠隔操作情報の内容に基づいて、前記位置情報取得手段で取得した位置情報を前記通信手段により外部へ送信することを特徴とする請求項１記載の無線通信端末。
【請求項３】
前記制御手段は、前記遠隔操作情報の内容に基づいて、前記入力を有効にすることを特徴とする請求項２記載の無線通信端末。
【請求項４】
前記制御手段は、前記遠隔操作情報の内容に基づいて、前記電源手段の給電を再停止することを特徴とする請求項２記載の無線通信端末。
【請求項５】
前記制御手段は、前記遠隔操作情報の内容に基づいて、前記電源手段から取得した電源残量を示す電源残量情報を前記通信手段により外部へ送信することを特徴とする請求項１又は２記載の無線通信端末。
【請求項６】
非接触通信を行う非接触通信手段を有し、
前記制御手段は、前記遠隔操作情報の内容に基づいて、前記非接触通信手段の通信動作状態を切り替えることを特徴とする請求項１又は２記載の無線通信端末。
【請求項７】
各種情報を表示する表示手段を有し、
前記制御手段は、前記位置情報を前記通信手段によって送信している旨の表示を前記表示手段に表示させないことを特徴とする請求項１又は２記載の無線通信端末。
【請求項８】
請求項１乃至７のいずれかに記載の無線通信端末は、携帯電話機であることを特徴とする無線通信端末。
【請求項９】
各部に電力の供給を行う電源ステップと、
各種操作の入力を受け付ける入力ステップと、
外部とネットワークを介して通信を行う通信ステップと、
位置情報を取得する位置情報取得ステップと、
前記通信ステップで受信した遠隔操作情報の内容に基づいて、前記入力ステップでの入力を無効にし、前記位置情報取得ステップで取得した位置情報を前記通信ステップにより外部へ送信した後、前記電源ステップの給電を停止する制御ステップとを有することを特徴とする無線通信端末制御方法。
【請求項１０】
前記遠隔操作情報が、時刻又は時間間隔を示す情報を有しており、
時間を計時する計時ステップと、
前記計時ステップで前記時刻又は前記時間間隔を経過したか否かを監視する計時監視ステップとを有し、
前記制御ステップは、前記入力が無効であって前記電源ステップの給電が停止されているときに、前記計時監視ステップが前記時刻又は時間間隔を経過したことを検出すると、前記電源ステップの給電を開始させ、前記通信ステップで前記ネットワークから受信した遠隔操作情報の内容に基づいて、前記位置情報取得ステップで取得した位置情報を前記通信ステップで外部へ送信することを特徴とする請求項９記載の無線通信端末制御方法。
【請求項１１】
前記制御ステップは、前記遠隔操作情報の内容に基づいて、前記電源ステップから取得した電源残量を示す電源残量情報を前記通信ステップにより外部へ送信することを特徴とする請求項９又は１０記載の無線通信端末制御方法。
【請求項１２】
非接触通信を行う非接触通信ステップを有し、
前記制御ステップは、前記遠隔操作情報の内容に基づいて、前記非接触通信ステップの通信動作状態を切り替えることを特徴とする請求項９又は１０記載の無線通信端末制御方法。
【請求項１３】
各種情報を表示する表示ステップを有し、
前記制御ステップは、前記位置情報を前記通信ステップで送信している旨の表示を前記表示ステップで行わないことを特徴とする請求項９又は１０記載の無線通信端末制御方法。
【発明の詳細な説明】
【技術分野】
【０００１】
本発明は、第三者による不正な使用を防止することのできる無線通信端末及び無線通信端末制御方法に関するものである。
【背景技術】
【０００２】
近年、携帯電話機等の無線通信端末は、通話やメール等の従来機能に加えて、非接触通信機能が搭載され、自動販売機やコンビニエンスストア等において電子決済サービスを利用することができるようになった。
【０００３】
こうしたなか、無線通信端末を紛失した場合に、正当な所有者ではない第三者によって、不正に無線通信端末内に保存された通話記録やメール等の個人情報を閲覧されたり、通話等の課金サービスを利用されたり、電子決済サービスを利用されることがある。
【０００４】
従来の無線通信端末は、指定された時刻または所定時間間隔毎に、ＧＰＳ（Ｇｌｏｂａｌ  Ｐｏｓｉｔｉｏｎｉｎｇ  Ｓｙｓｔｅｍ）受信機にて取得した位置情報を自動的に外部へ送信して、紛失した無線通信端末の早期発見を図っている。（例えば、特許文献１参照）。
【特許文献１】特開２００２−３３５５５１号公報
【発明の開示】
【発明が解決しようとする課題】
【０００５】
しかしながら、従来の無線通信端末は、位置情報を自動的に外部に送信するときに、第三者の操作によって送信処理を中断させられるおそれがあった。そのため、無線通信端末の位置情報を外部へ送信することができず、例えば、その無線通信端末の位置情報を知りたい正当な所有者が、位置情報を把握できないといった課題があった。
また、従来の無線通信端末は、予め設定された時刻または所定時間間隔毎に、位置情報を取得して外部へ送信しており、紛失した後に、その時刻または所定時間間隔を変更することができなかった。そのため、紛失する前に設定した時刻または所定時間間隔を経過しなければ位置情報を外部へ送信せず、紛失した無線通信端末の発見が遅れるといった課題があった。
本発明は、従来の問題を解決するためになされたもので、第三者による不正な使用を防止し、位置を早期に特定することのできる無線通信端末及び無線通信端末制御方法を提供することを目的とする。
【課題を解決するための手段】
【０００６】
本発明の無線通信端末は、各部に電力の供給を行う電源手段と、各種操作の入力を受け付ける入力手段と、外部とネットワークを介して通信を行う通信手段と、位置情報を取得する位置情報取得手段と、前記通信手段で受信した遠隔操作情報の内容に基づいて、前記入力手段からの入力を無効にし、前記位置情報取得手段で取得した位置情報を前記通信手段により外部へ送信した後、前記電源手段の給電を停止する制御手段とを備えた構成を有する。
【０００７】
この構成により、第三者による入力操作で位置情報の送信処理を中断されることを防止することができ、位置を早期に特定することができる。また、電源手段の給電を停止することで、入力操作に起因した電源消費を低減することができる。
【０００８】
また、本発明の無線通信端末は、前記遠隔操作情報が、時刻又は時間間隔を示す情報を含んでおり、時刻を計時する計時手段と、前記計時手段が前記時刻又は前記時間間隔を経過したか否かを監視する計時監視手段とを有し、前記制御手段が、前記入力が無効であって前記電源手段の給電が停止されているときに、前記計時監視手段が前記時刻又は時間間隔を経過したことを検出すると、前記電源手段の給電を開始させ、前記通信手段により前記ネットワークから受信した遠隔操作情報の内容に基づいて、前記位置情報取得手段で取得した位置情報を前記通信手段により外部へ送信する構成を有する。
【０００９】
この構成により、遠隔操作情報に含まれる時刻又は時間間隔に従って、位置情報を送信することで、例えば、無線通信端末を紛失した後であっても、位置情報を送信する時刻又は時間間隔を自由に設定することができる。
【００１０】
また、本発明の無線通信端末は、前記制御手段が、前記遠隔操作情報の内容に基づいて、前記入力を有効にする構成を有する。
【００１１】
この構成により、紛失した無線通信端末を発見した後に、入力の無効状態を解除して、再び使用することができる。
【００１２】
また、本発明の無線通信端末は、前記制御手段が、前記遠隔操作情報の内容に基づいて、前記電源手段の給電を再停止する構成を有する。
【００１３】
この構成により、第三者による入力操作を受け付ける必要がなく、電源消費を低減することができるため、入力操作を受け付ける場合と比べて、位置情報を多く送信することができる。
【００１４】
また、本発明の無線通信端末は、前記制御手段が、前記遠隔操作情報の内容に基づいて、前記電源手段から取得した電源残量を示す電源残量情報を前記通信手段により外部へ送信する構成を有する。
【００１５】
この構成により、遠隔操作を行う側は、電源残量情報を参考にして、遠隔操作される側の無線通信端末の電源状態の切り替えや、位置情報を送信する時間間隔を見直すことができる。
【００１６】
また、本発明の無線通信端末は、非接触通信を行う非接触通信手段を有し、前記制御手段が、前記遠隔操作情報の内容に基づいて、前記非接触通信手段の通信動作状態を切り替える構成を有する。
【００１７】
この構成により、第三者によって非接触通信手段を用いた、例えば電子決済サービス等を不正に利用されることを防止する。
【００１８】
また、本発明の無線通信端末は、各種情報を表示する表示手段を有し、前記制御手段が、前記位置情報を前記通信手段によって送信している旨の表示を前記表示手段に表示させない構成を有する。
【００１９】
この構成により、第三者に気付かれずに、位置情報を特定することができ、例えば、誘拐事件等で犯人に気付かれずに位置情報を特定することができる。
【００２０】
また、本発明の無線通信端末は、携帯電話機である構成を有する。
【００２１】
この構成により、個人情報が数多く保存されており、電子決済サービスを利用することのできる携帯電話機を紛失した場合に、第三者による不正な使用を防止でき、位置を早期に特定することができる。
【００２２】
また、本発明の無線通信端末制御方法は、各部に電力の供給を行う電源ステップと、各種操作の入力を受け付ける入力ステップと、外部とネットワークを介して通信を行う通信ステップと、位置情報を取得する位置情報取得ステップと、前記通信ステップで受信した遠隔操作情報の内容に基づいて、前記入力ステップでの入力を無効にし、前記位置情報取得ステップで取得した位置情報を前記通信ステップにより外部へ送信した後、前記電源ステップの給電を停止する制御ステップとを有する。
【００２３】
この方法により、第三者による入力操作で位置情報の送信処理を中断されることを防止することができ、位置を早期に特定することができる。また、電源手段の給電を停止することで、入力操作に起因した電源消費を低減することができる。
【００２４】
また、本発明の無線通信端末制御方法は、前記遠隔操作情報が、時刻又は時間間隔を示す情報を有しており、時間を計時する計時ステップと、前記計時ステップで前記時刻又は前記時間間隔を経過したか否かを監視する計時監視ステップとを有し、前記制御ステップが、前記入力が無効であって前記電源ステップの給電が停止されているときに、前記計時監視ステップが前記時刻又は時間間隔を経過したことを検出すると、前記電源ステップの給電を開始させ、前記通信ステップで前記ネットワークから受信した遠隔操作情報の内容に基づいて、前記位置情報取得ステップで取得した位置情報を前記通信ステップで外部へ送信する。
【００２５】
この方法により、遠隔操作情報に含まれる時刻又は時間間隔に従って、位置情報を送信することで、例えば、無線通信端末を紛失した後であっても、位置情報を送信する時刻又は時間間隔を自由に設定することができる。
【００２６】
また、本発明の無線通信端末制御方法は、前記制御ステップが、前記遠隔操作情報の内容に基づいて、前記電源ステップから取得した電源残量を示す電源残量情報を前記通信ステップにより外部へ送信する。
【００２７】
この方法により、遠隔操作を行う側は、電源残量情報を参考にして、遠隔操作される側の無線通信端末の電源状態の切り替えや、位置情報を送信する時間間隔を見直すことができる。
【００２８】
また、本発明の無線通信端末制御方法は、非接触通信を行う非接触通信ステップを有し、
前記制御ステップが、前記遠隔操作情報の内容に基づいて、前記非接触通信ステップの通信動作状態を切り替える。
【００２９】
この方法により、第三者によって非接触通信手段を用いた、例えば電子決済サービス等を不正に利用されることを防止する。
【００３０】
また、本発明の無線通信端末制御方法は、各種情報を表示する表示ステップを有し、前記制御ステップが、前記位置情報を前記通信ステップで送信している旨の表示を前記表示ステップで行わない。
【００３１】
この構成により、第三者に気付かれずに、位置情報を特定することができ、例えば、誘拐事件等で犯人に気付かれずに位置情報を特定することができる。
【発明の効果】
【００３２】
本発明は、第三者による不正な使用を防止し、位置を早期に特定することのできる無線通信端末及び無線通信端末制御方法を提供することができるものである。
【発明を実施するための最良の形態】
【００３３】
以下、本発明の実施の形態について、図面を用いて説明する。
【００３４】
（実施の形態１）
本発明の実施の形態１は、無線通信端末が携帯電話機である場合を例にして説明する。
【００３５】
図２は、本発明の実施の形態１における通信システム１の構成を示す図である。
【００３６】
通信システム１は、図示されているように、携帯電話機１０、携帯電話機１１、ネットワーク１００及びＧＰＳ衛星１０５から構成されている。
【００３７】
携帯電話機１０は、ネットワーク１００を介して外部と通信を行い、各種情報を送受信することができる。また、携帯電話機１０は、ＧＰＳ衛星１０５から送信される位置情報を受信することができる。
【００３８】
携帯電話機１１は、携帯電話機１０と同様の機能を備えているものとし、ここでは説明を省略する。
【００３９】
ネットワーク１００は、基地局１０１とサーバ装置１０２とから構成されている。基地局１０１は、携帯電話機１０や携帯電話機１１と直接、無線通信を行う装置であり、ビルの屋上や電波塔等として複数設置されているものとする。また、サーバ装置１０２は、内部に各携帯電話機のアドレス情報を記憶しており、基地局１０１と交換機（図示せず）を経由して携帯電話機から送信されたメッセージを受信すると、そのメッセージに含まれているアドレス情報を持った他の携帯電話機を特定し、その携帯電話機が位置登録している交換機、基地局１０１を経由してメッセージを送信する。さらに、サーバ装置１０２は、各携帯電話機が圏外や電源オフ状態である等の理由により、メッセージを受信できなかった場合、そのメッセージを一時的に保管しておくことができるものとする。ここで、サーバ装置１０２は、携帯電話機から送信されたメッセージを受信すると、そのメッセージがサーバ装置１０２にある旨を示す着信通知情報を他の携帯電話機へ送信し、他の携帯電話機にメッセージの取得を促すようにしているものとする。
【００４０】
ＧＰＳ衛星１０５は、地球を周回しており、機体番号、送信時刻、軌道位置等の航法メッセージを常時送信している。なお、一般的に、携帯電話機等のＧＰＳ受信機は、緯度、経度、高さ及び時刻測定等のため、複数機のＧＰＳ衛星から航法メッセージを受信する必要があるが、ここでは、１機のみを図示し、残りのＧＰＳ衛星については図示を省略する。
【００４１】
本実施の形態１では、携帯電話機１１がネットワーク１００を介して携帯電話機１０を遠隔操作する場合を例として説明する。
【００４２】
図３は、本発明の実施の形態１において遠隔操作される携帯電話機１０の概略構成を示すブロック図である。
【００４３】
携帯電話機１０は、入力手段２０、表示手段３０、通信手段４０、電源手段５０、計時手段６０、位置情報取得手段７０及び制御手段８０から構成されている。
入力手段２０は、通話や個人情報の閲覧等の各種機能を実行するために、使用者が操作する入力キー群であり、電源手段５０の給電状態を切り替える電源キーを含んでいる。また、入力手段２０は、外部からの入力動作によって得られる各種情報を入力信号として制御手段８０へ送信する。
表示手段３０は、制御手段８０から表示信号を受信すると、表示信号の内容に従って表示を行う。
【００４４】
通信手段４０は、制御手段８０から通信要求信号を受信すると、無線通信によりネットワーク１００に接続し、通信要求信号を送信する。また、ネットワーク１００から通信受信信号を受信すると、制御手段８０に通信受信信号を送信する。
【００４５】
電源手段５０は、各部に電力を供給しており、入力手段２０に含まれる電源キーを押下することにより、給電状態を切り替えることができる。
【００４６】
計時手段６０は、時刻を計時しており、制御手段８０から時刻取得信号を受信すると、現在時刻を時刻結果信号として制御手段８０に送信する。
【００４７】
位置情報取得手段７０は、制御手段８０から位置情報取得信号を受信すると、ＧＰＳ衛星１０５から受信した航法メッセージによって、携帯電話機１０の位置情報を特定し、制御手段８０に位置情報結果信号を送信する。
【００４８】
制御手段８０は、各手段と各種信号の送受信を行い、携帯電話機１０の制御を行う。
図１は、本発明の実施の形態１における携帯電話機１０の詳細構成を示すブロック図である。図１において、図３と同じ部分には同じ参照符号を付してある。また、図３と同様の構成については説明を省略する。
遠隔制御手段８１は、入力制御手段８２に対して、入力手段２０から受信した入力信号を通知させないための入力無効信号、又は通知させるための入力有効信号を送信することで、入力制御を行う。
また、遠隔制御手段８１は、表示制御手段８３に対して、表示手段３０に表示したい表示情報と、表示手段３０の明るさ情報を含む表示信号を送信することで、表示制御を行う。
さらに、遠隔制御手段８１は、ネットワーク１００を介して外部へ情報を送信する場合、通信手段４０に対して、通信要求信号を送信する。また、遠隔制御手段８１は、通信手段４０から送信された通信受信信号を受信する。
さらに、遠隔制御手段８１は、電源制御手段８４に対して、電源手段５０の給電を停止する給電停止信号と、電源手段５０の給電を開始する給電開始信号とを送出することで、電源制御を行う。
さらに、遠隔制御手段８１は、電源制御手段８４に対して、電源手段５０の電源残量情報を取得するために電源残量情報取得信号を送信し、電源残量情報結果信号を受信することで、電源手段５０の電源残量を把握することができる。
さらに、遠隔制御手段８１は、計時監視手段８５に対して、時刻又は時間間隔を設定する時間設定信号を送信することで、設定した時刻又は時間間隔を経過することを検出することができる。ここで、遠隔制御手段８１は、予め時間間隔の初期値（例えば、６０分）を記憶しているものとする。
さらに、遠隔制御手段８１は、位置情報取得手段７０に対して、位置情報取得信号を送信して、携帯電話機１０の位置情報を取得することができる。
さらに、遠隔制御手段８１は、携帯電話機１０に予め設定された暗証番号を記憶しており、通信手段４０からの受信信号に含まれる暗証番号と一致するか否かを判定することで、遠隔操作を実行するか否かを決定する。
さらに、遠隔制御手段８１は、位置情報を送信するか否かを示す位置情報送信フラグと、電源残量情報を送信するか否かを示す電源残量情報送信フラグとを有している。両フラグは、送信しない場合は０が設定され、送信する場合は１が設定される。初期状態は、両フラグともに、送信しないことを示す０が設定されているものとする。
入力制御手段８２は、遠隔制御手段８１から入力無効信号を受信すると、入力手段２０からの入力信号を破棄するよう制御を行う。また、遠隔制御手段８１から入力有効信号を受信すると、入力手段２０から受信した入力信号を遠隔制御手段８１に対して送信するよう制御を行う。
表示制御手段８３は、遠隔制御手段８１から表示信号を受信すると、表示信号に含まれる表示情報と、明るさ情報とに従って表示手段３０に対して表示信号を送信して表示を行う。ここで、明るさ情報が最も暗い値に設定されていると、電源がオフされた場合と同様の明るさになるものとする。
電源制御手段８４は、遠隔制御手段８１から給電停止信号を受信すると、電源手段５０の給電を停止する。また、遠隔制御手段８１から給電開始信号を受信すると、電源手段５０の給電を開始する。ここで、電源手段５０の給電が行われている状態を電源オン状態といい、給電が停止されている状態を電源オフ状態という。さらに、電源制御手段８４は、遠隔制御手段８１から電源残量情報取得信号を受信すると、電源手段５０の電源残量情報を算出し、算出した電源残量情報を電源残量情報結果信号として、遠隔制御手段８１に送信する。
計時監視手段８５は、遠隔制御手段８１から時間設定信号を受信すると、時間設定信号の内容である時刻又は時間間隔を経過したか否かを監視する。時刻が経過したか否かの判定は、計時手段６０に対して時刻取得信号を逐次送信し、時刻結果信号として現在時刻ｔ１を受信する。そして、現在時刻ｔ１と時間設定信号の内容である時刻ｔ２とを比較することで判定を行う。また、時間間隔が経過したか否かの判定は、まず、時間設定信号を受信した時点で、計時手段６０から現在時刻ｔ３を取得して記憶しておき、取得した現在時刻ｔ３に、時間設定信号の内容である時間間隔を加算した加算時刻ｔ４を予め計算しておく。そして、計時手段６０に対して時刻取得信号を逐次送信し、時刻結果信号として現在時刻ｔ５を受信し、現在時刻ｔ５と加算時刻ｔ４とを比較することで判定を行う。計時監視手段８５は、時刻又は時間間隔を経過したことを検出すると、遠隔制御手段８１に対して、時間経過信号を送信する。
図４（ａ）〜図４（ｅ）は、携帯電話機１１が遠隔操作情報を作成して、携帯電話機１０に送信する手順を示す画面例である。
【００４９】
図４（ａ）は、遠隔操作設定の設定項目を示す画面例である。
【００５０】
遠隔操作設定のメニューには、遠隔操作対象の無線通信端末のメールアドレス入力欄、電源オン状態又は電源オフ状態に設定するプルダウンメニュー、位置情報を取得するか否かを設定するプルダウンメニュー、電源残量情報を取得するか否かを設定するプルダウンメニュー、位置情報又は電源残量情報を送信させる時間間隔入力欄、及び遠隔操作対象の無線通信端末の暗証番号入力欄が表示されているものとする。ここで、メールアドレス入力欄に電話帳に予め登録されている携帯電話機１０のメールアドレスを入力する場合、入力手段２０のうち、「機能」に対応付けられた入力キー（以下、機能キーという）を押下する。
【００５１】
図４（ｂ）は、メールアドレス入力の補助メニューが表示された画面例である。
【００５２】
補助メニューには、電話帳に予め登録されているメールアドレスを呼び出す「電話帳」と、過去のメール送受信履歴からメールアドレスを呼び出す「送受信履歴」と、入力キー群を使用して直接入力する「直接入力」が表示されている。ここで、「電話帳」にフォーカスを当てて、入力手段２０のうち、「選択」に対応付けられた入力キー（以下、選択キーという）を押下することで、電話帳を呼び出して、携帯電話機１０のメールアドレスを選択することができる。
【００５３】
図４（ｃ）は、暗証番号入力欄に暗証番号を入力する場合の手順を示す画面例である。
【００５４】
暗証番号入力欄に暗証番号を入力する場合、入力手段２０のうち、フォーカスを移動する入力キーを押下することで、暗証番号入力欄にフォーカスを当て、選択キーを押下することで暗証番号を直接入力することができる。
【００５５】
図４（ｄ）は、暗証番号入力欄に暗証番号を入力した後の画面例である。
【００５６】
入力された暗証番号は、第三者に盗み見られることを防止するため、「＊」が表示されているものとする。ここで、図４（ａ）〜図４（ｄ）で作成した遠隔操作情報を送信する場合、メールアドレス及び暗証番号を入力されている状態で、暗証番号入力欄にフォーカスを当てて、機能キーを押下する。
【００５７】
図４（ｅ）は、図４（ｄ）において機能キーが押下されたときの画面例である。
【００５８】
機能キーが押下されることにより、作成した遠隔操作情報を送信する「送信」と、作成した遠隔操作情報を保存する「保存」とが表示される。ここで、「送信」にフォーカスを当て、選択キーを押下することにより、作成した遠隔操作情報が携帯電話機１０に送信される。
【００５９】
図５は、図４（ｅ）で携帯電話機１１から携帯電話機１０に送信された遠隔操作情報のメッセージデータを示す図である。
【００６０】
遠隔操作情報には、情報種別と、その情報種別に対応する内容とが対になった複数のレコードがある。
レコードＲ５１は、メッセージ種別を示しており、内容が１であればメールであることを示し、内容が２であれば遠隔操作情報であることを示す。ここでは、遠隔操作情報を送信するため、内容に２が設定されている。携帯電話機１０は、レコードＲ５１の内容に基づいて、受信したメッセージがメールであるか、遠隔操作情報であるかを判断することができる。
レコードＲ５２は、遠隔操作情報の送信先メールアドレスを示しており、ここでは、内容として携帯電話機１０のメールアドレスであるａａａ＠ｐａｎａｓｏｎｉｃ．ｎｅ．ｊｐを有している。
レコードＲ５３は、遠隔操作情報の送信元メールアドレスを示しており、ここでは、内容として携帯電話機１１のメールアドレスであるｂｂｂ＠ｐａｎａｓｏｎｉｃ．ｎｅ．ｊｐを有している。
レコードＲ５４は、遠隔操作によって電源オン状態又は電源オフ状態にするか否かを示しており、内容が１であれば遠隔操作対象の無線通信端末の電源オフ状態にすることを示し、内容が２であれば遠隔操作対象の無線通信端末を電源オン状態にすることを示す。ここでは、携帯電話機１０を電源オフ状態にするため、内容に１が設定されている。
レコードＲ５５は、遠隔操作によって位置情報を取得するか否かを示しており、内容が１であれば位置情報を取得することを示し、内容が２であれば位置情報を取得しないことを示す。ここでは、携帯電話機１０の位置情報を取得するため、内容に１が設定されている。
レコードＲ５６は、遠隔操作によって電源残量情報を取得するか否かを示しており、内容が１であれば電源残量情報を取得することを示し、内容が２であれば電源残量情報を取得しないことを示す。ここでは、携帯電話機１０の電源残量情報を取得するため、内容に１が設定されている。
レコードＲ５７は、位置情報又は電源残量情報を送信させる時間間隔を示している。ここでは、例えば６０分おきに携帯電話機１０から位置情報と電源残量情報を送信させるようにするため、内容に６０が設定されている。
レコードＲ５８は、暗証番号を示している。遠隔操作対象である無線通信端末は、この暗証番号に基づいて、外部から受信した遠隔操作の要求を受け入れるか否かを判定する。ここでは、例えば携帯電話機１０に予め記憶されている暗証番号が、１２３４であるとして、内容に１２３４を設定している。
【００６１】
なお、図４及び図５では、遠隔操作情報を作成して送信するために、専用の遠隔操作設定を設けて説明したが、これに限定されるものではなく、一般的に用いられるメール作成画面において、上述の各レコードの情報を入力して送信してもよいし、ＷＥＢサイト等で遠隔操作情報を作成し、送信するようにしてもよい。
【００６２】
図６及び図７は、携帯電話機１０の電源オン状態であるときに、遠隔制御手段８１が遠隔操作情報を示す通信受信信号を受信するか、又は、時間経過信号を受信した場合の処理手順を示すフローチャートである。
【００６３】
図６において、遠隔制御手段８１は、通信手段４０からサーバ装置１０２に遠隔操作情報があることを示す通信受信信号を受信するか、又は計時監視手段８５から時間経過信号を受信することで処理を開始する。
【００６４】
遠隔制御手段８１は、処理を開始すると、通信手段４０に対して、遠隔操作情報を取得する旨の通信要求信号を送信する。そして、通信手段４０は、サーバ装置１０２から遠隔操作情報を取得し、取得した遠隔操作情報を通信受信信号として遠隔制御手段８１に送信する。（ステップＳ１）。
【００６５】
次に、遠隔制御手段８１は、遠隔操作情報を取得できたか否かを遠隔操作情報のレコードＲ５１に示されたメッセージ種別によって判定する（ステップＳ２）。
メッセージ種別が遠隔操作情報である場合（ステップＳ２、Ｙｅｓ）、遠隔操作情報を取得できたものとして、次に遠隔制御手段８１は、遠隔操作情報のレコードＲ５８に示された暗証番号が、予め記憶されている暗証番号と一致するか否かを判定する（ステップＳ３）。
一方、メッセージ種別が遠隔操作情報でない、又はサーバ装置１０２に遠隔操作情報がない等の理由で遠隔操作情報を取得できなかった場合（ステップＳ２、Ｎｏ）、位置情報送信フラグが、位置情報を送信することを示す１であるか否かを判定する（図７のステップＳ４）。
【００６６】
レコードＲ５８に示された暗証番号が、遠隔制御手段８１に予め記憶されている暗証番号と一致する場合（図６のステップＳ３、Ｙｅｓ）、遠隔制御手段８１は、入力制御手段８２に対して、入力無効信号を送信し、入力手段２０から受信した入力信号を通知させないようにする（ステップＳ５）。これにより、第三者による入力操作によって、遠隔操作機能が中断されることを防止する。
一方、レコードＲ５８に示された暗証番号が、遠隔制御手段８１に予め記憶されている暗証番号と一致しない場合（ステップＳ３、Ｎｏ）、位置情報送信フラグが、位置情報を送信することを示す１であるか否かを判定する（図７のステップＳ４）。
【００６７】
遠隔制御手段８１は、入力無効信号を入力制御手段８２に対して送信した後、予め記憶している時間間隔Ｔ１と、遠隔操作情報のレコードＲ５７に示された時間間隔Ｔ２とが一致するか否かを判定する（ステップＳ６）。
【００６８】
予め記憶している時間間隔Ｔ１と、レコードＲ５７に示された時間間隔Ｔ２とが一致しない場合（ステップＳ６、Ｎｏ）、遠隔制御手段８１は、時間間隔Ｔ１を時間間隔Ｔ２に変更して記憶する（ステップＳ７）。そして、遠隔制御手段８１は、遠隔操作情報のレコードＲ５５から、位置情報を送信するか否かを判定する（ステップＳ８）。
一方、遠隔操作情報に含まれる時間間隔Ｔ２とが一致する場合（ステップＳ６、Ｙｅｓ）、時間間隔Ｔ１の変更を行わずに、遠隔操作情報のレコードＲ５５から、位置情報を送信するか否かを判定する（ステップＳ８）。
【００６９】
次に、レコードＲ５５の内容が、位置情報を送信することを示す１である場合（ステップＳ８、Ｙｅｓ）、遠隔制御手段８１は、まず、位置情報送信フラグを１に設定する（ステップＳ９）。そして、遠隔制御手段８１は、位置情報取得手段７０に対して、位置情報取得信号を送信して、携帯電話機１０の位置情報を位置情報結果信号として取得する（ステップＳ１０）。
さらに、遠隔制御手段８１は、遠隔操作情報のレコードＲ５３に示された送信元メールアドレスに対して位置情報を送信するため、通信手段４０に対して通信要求信号を送信し、携帯電話機１１へ位置情報を送信する。ここで、位置情報を送信するときに、表示手段３０にその旨を表示するため、遠隔制御手段８１は、表示制御手段８３に対して、位置情報を送信している旨の表示情報と、明るさ情報（例えば、標準とする）とを含む表示信号を送信することで、表示手段３０に表示を行う（ステップＳ１１）。
位置情報を送信後、遠隔制御手段８１は、遠隔操作情報のレコードＲ５６から、電源残量情報を送信するか否かを判定する（図７のステップＳ１２）。
一方、レコードＲ５５の内容が、位置情報を送信しないことを示す２である場合（図６のステップＳ８、Ｎｏ）、遠隔制御手段８１は、位置情報送信フラグを０に設定して（ステップＳ１３）、遠隔操作情報のレコードＲ５６から、電源残量情報を送信するか否かを判定する（図７のステップＳ１２）。
【００７０】
次に、レコードＲ５６の内容が、電源残量情報を送信することを示す１である場合（ステップＳ１２、Ｙｅｓ）、遠隔制御手段８１は、まず、電源残量情報送信フラグを１に設定する（ステップＳ１４）。そして、遠隔制御手段８１は、電源制御手段８４に対して、電源残量情報取得信号を送信して、電源制御手段８４から電源残量情報を電源残量情報結果信号として取得する（ステップＳ１５）。
さらに、遠隔制御手段８１は、遠隔操作情報のレコードＲ５３に示された送信元メールアドレスに対して電源残量情報を送信するため、通信手段４０に対して通信要求信号を送信し、携帯電話機１１へ電源残量情報を送信する（ステップＳ１６）。電源残量情報を送信後、遠隔制御手段８１は、遠隔操作情報のレコードＲ５４から、電源オフ状態にするか否かを判定する（ステップＳ１７）。
一方、レコードＲ５６の内容が、電源残量情報を送信しないことを示す２である場合（図６のステップＳ８、Ｎｏ）、遠隔制御手段８１は、位置情報送信フラグを０に設定して（ステップＳ１８）、遠隔操作情報のレコードＲ５４から、電源オフ状態にするか否かを判定する（ステップＳ１７）。
【００７１】
レコードＲ５４の内容が、電源オフ状態にすることを示す１である場合（ステップＳ１７、Ｙｅｓ）、遠隔制御手段８１は、時間間隔Ｔ１経過後に計時監視手段８５から時間経過信号を取得するため、計時監視手段８５に対して、時間間隔Ｔ１を時間設定信号として送信する（ステップＳ１９）。そして、遠隔制御手段８１は、電源制御手段８４に対して、給電停止信号を送信し、携帯電話機１０を電源オフ状態にして（ステップＳ２０）、処理を終了する。
一方、レコードＲ５４の内容が、電源オン状態にすることを示す２である場合（ステップＳ１７、Ｎｏ）、遠隔制御手段８１は、時間間隔Ｔ１経過後に計時監視手段８５から時間経過信号を取得するため、計時監視手段８５に対して、時間間隔Ｔ１を時間設定信号として送信する（ステップＳ１９）。そして、遠隔制御手段８１は、電源制御手段８４に対して、給電停止信号を送信することなく、処理を終了する。
【００７２】
次に、位置情報送信フラグが、位置情報を送信することを示す１である場合（ステップＳ４、Ｙｅｓ）、遠隔制御手段８１は、位置情報の取得及び送信を上述のステップＳ１０及びステップＳ１１と同様に行い、次に電源残量情報を送信することを示す１であるか否かを判定する（ステップＳ２１）。
一方、位置情報送信フラグが、位置情報を送信することを示す１でない場合（ステップＳ４、Ｎｏ）、遠隔制御手段８１は、位置情報の取得及び送信を行うことなく、電源残量情報を送信することを示す１であるか否かを判定する（ステップＳ２１）。
【００７３】
電源残量情報送信フラグが、電源残量情報を送信することを示す１である場合（ステップＳ２１、Ｙｅｓ）、遠隔制御手段８１は、電源残量情報の取得及び送信を上述のステップＳ１５及びステップＳ１６と同様に行い、時間間隔Ｔ１経過後に計時監視手段８５から時間経過信号を取得するため、計時監視手段８５に対して、時間間隔Ｔ１を時間設定信号として送信し（ステップＳ１９）、処理を終了する。
一方、電源残量情報送信フラグが、電源残量情報を送信することを示す１でない場合（ステップＳ２１、Ｎｏ）、遠隔制御手段８１は、電源残量情報の取得及び送信を行うことなく、計時監視手段８５に対して、時間間隔Ｔ１を時間設定信号として送信し（ステップＳ１９）、処理を終了する。
なお、ここでは、携帯電話機１０の電源オン状態であるときに、遠隔制御手段８１が遠隔操作情報を示す通信受信信号を受信するか、又は、時間経過信号を受信したことを契機に処理を開始するとして説明したが、これに限定されるものではなく、例えば、圏外から復帰して位置登録が行われたことを契機に処理を開始してもよい。
【００７４】
図８及び図９は、携帯電話機１０の電源オフ状態であるときに、遠隔制御手段８１が、計時監視手段８４から時間経過信号を受信した場合の処理手順を示すフローチャートである。
【００７５】
図８において、遠隔制御手段８１は、計時監視手段８５から時間経過信号を受信することで処理を開始する。
【００７６】
遠隔制御手段８１は、処理を開始すると、電源制御手段８４に対して、給電開始信号を送信し、携帯電話機１０を電源オン状態にする（ステップＳ５０）。
以降、図６及び図７に示すステップＳ１〜Ｓ４、ステップＳ６〜Ｓ１６及びステップＳ１８〜Ｓ２１と同様の処理を行う。
【００７７】
図９において、電源残量情報を送信した後（ステップＳ１６）、遠隔制御手段８１は、遠隔操作情報のレコードＲ５４から、電源オン状態にするか否かを判定する（ステップＳ５１）。
【００７８】
レコードＲ５４の内容が、電源オン状態にすることを示す２である場合（ステップＳ５１、Ｙｅｓ）、遠隔制御手段８１は、入力制御手段８２に対して、入力有効信号を送信し、入力手段２０から受信した入力信号を通知するように設定して（ステップＳ５２）、処理を終了する。
一方、レコードＲ５４の内容が、電源オン状態にすることを示す２でない場合（ステップＳ５１、Ｎｏ）、遠隔制御手段８１は、時間間隔Ｔ１経過後に計時監視手段８５から時間経過信号を取得するため、計時監視手段８５に対して、時間間隔Ｔ１を時間設定信号として送信する（ステップＳ１９）。そして、遠隔制御手段８１は、電源制御手段８４に対して、給電停止信号を送信し、携帯電話機１０を電源オフ状態にして（ステップＳ２０）、処理を終了する。
以上のように本発明の実施の形態１の携帯電話機１０によれば、入力手段２０からの入力を無効にして、位置情報の送信を行うことで、第三者による入力操作で位置情報の送信処理を中断させられることを防止することができ、位置を早期に特定することができる。
また、電源キーを含む入力手段２０からの入力を無効にして、電源手段５０の給電を停止することで、第三者による入力操作に起因した電源消費を低減することができる。
さらに、遠隔操作情報に含まれる時間間隔に従って、位置情報を送信することで、例えば、携帯電話機を紛失した後であっても、位置情報を送信する時間間隔を自由に設定することができる。
さらに、電源残量情報を送信することにより、遠隔操作を行う携帯電話機１１は、電源残量情報を参考にして、電源状態の切り替えや、位置情報を送信する時間間隔の見直し等を行うことができる。
【００７９】
（実施の形態２）
本発明の実施の形態２は、非接触通信を行う非接触通信手段を備えた携帯電話機を例として説明する。
図１０は、本発明の実施の形態２において、遠隔操作される携帯電話機１０の詳細構成を示すブロック図である。なお、上記実施の形態１と同様の構成については、同じ参照符号を用い、重複した説明を省略する。
【００８０】
携帯電話機１０は、上記実施の形態１の構成に加え、非接触通信手段９０及び非接触通信制御手段８６を有している。  
【００８１】
非接触通信手段９０は、外部に設置された非接触通信用リーダ・ライタ（図示せず）に近接することにより、磁気的に結合して非接触通信を行う。
非接触通信制御手段８６は、遠隔制御手段８１から通信無効信号を受信すると、非接触通信手段９０の通信動作を停止させる。また、遠隔制御手段８１から通信有効信号を受信すると、非接触通信手段９０の通信動作を開始させる。
【００８２】
図１１は、本実施の形態２において、携帯電話機１１から携帯電話機１０に送信された遠隔操作情報のメッセージデータを示す図である。なお、上記実施の形態１と同様のレコードについては、同じ参照符号を用い、重複した説明を省略する。
レコードＲ５９は、携帯電話機１０の表示手段３０に位置情報を送信している旨の表示を行わせるか否かを示しており、内容が１であれば、位置情報を送信している旨の表示を行わないことを示し、内容が２であれば、位置情報を送信している旨の表示を行うことを示す。ここでは、携帯電話機１０の表示手段３０に位置情報を送信している旨の表示を行わせないため、内容に１が設定されている。
【００８３】
図１２及び図１３は、携帯電話機１０の電源オン状態であるときに、遠隔制御手段８１が遠隔操作情報を示す通信受信信号を受信するか、又は、時間経過信号を受信した場合の処理手順を示すフローチャートである。なお、上記実施の形態１と同様の処理については、同じ参照符号を用い、重複した説明を省略する。
図１２において、遠隔制御手段８１は、通信手段４０からサーバ装置１０２に遠隔操作情報があることを示す通信受信信号を受信するか、又は計時監視手段８５から時間経過信号を受信することで処理を開始する。そして、入力制御手段８２に対して、入力無効信号を送信して、入力手段２０から受信した入力信号を通知させないようにするまでの処理を、上記実施の形態１と同様に行う。
次に、遠隔制御手段８１は、非接触通信制御手段８６に対して、通信無効信号を送信し、非接触通信手段９０の通信動作を停止させる（ステップＳ１００）。これにより、例えば、携帯電話機を紛失した後であっても、第三者によって非接触通信手段９０を用いて電子決済サービス等を不正に利用されることを防止することができる。
【００８４】
図１２及び図１３において、遠隔制御手段８１は、遠隔操作情報のレコードＲ５３に示された送信元メールアドレスに対して位置情報を送信するため、通信手段４０に対して通信要求信号を送信し、携帯電話機１１へ位置情報を送信する。ここで、遠隔制御手段８１は、遠隔操作情報のレコードＲ５９の内容が、位置情報を送信している旨の表示を行わないことを示す１であれば、表示制御手段８３に対して、電源オフ状態と同様の明るさ情報含む表示信号を送信することにより、表示手段３０の表示を電源オフ状態と同様にする。一方、遠隔操作情報のレコードＲ５９の内容が、位置情報を送信している旨の表示を行うことを示す２であれば、遠隔制御手段８１は、位置情報を送信している旨の表示情報と、明るさ情報（例えば、標準とする）とを含む表示信号を送信することで、表示手段３０に表示を行う（ステップＳ１０１）。
【００８５】
図１４及び図１５は、携帯電話機１０の電源オフ状態であるときに、遠隔制御手段８１が、時間経過信号を受信した場合の処理手順を示すフローチャートである。なお、上記実施の形態１と同様の処理については、同じ参照符号を用い、重複した説明を省略する。
【００８６】
図１４及び図１５において、遠隔制御手段８１は、遠隔操作情報のレコードＲ５３に示された送信元メールアドレスに対して位置情報を送信するため、通信手段４０に対して通信要求信号を送信し、携帯電話機１１へ位置情報を送信する。ここで、遠隔制御手段８１は、遠隔操作情報のレコードＲ５９の内容が、位置情報を送信している旨の表示を行わないことを示す１であれば、表示制御手段８３に対して、電源オフ状態と同様の明るさ情報含む表示信号を送信することにより、表示手段３０の表示を電源オフ状態と同様にする。一方、遠隔操作情報のレコードＲ５９の内容が、位置情報を送信している旨の表示を行うことを示す２であれば、遠隔制御手段８１は、位置情報を送信している旨の表示情報と、明るさ情報（例えば、標準とする）とを含む表示信号を送信することで、表示手段３０に表示を行う（ステップＳ１０１）。
【００８７】
図１５において、遠隔制御手段８１は、非接触通信制御手段８６に対して、通信有効信号を送信し、非接触通信手段９０の通信動作を開始させる（ステップＳ１０２）。これにより、例えば、紛失した携帯電話機１０を発見した後に、非接触通信手段９０の通信動作を再開させることができる。
なお、本実施の形態２では、位置情報を送信している旨の表示のみを表示手段３０に表示させないと説明したが、電池残量情報を送信している旨の表示や遠隔操作情報を取得している旨の表示等も同様に、表示手段３０に表示させないようにしてもよい。
以上のように本発明の実施の形態２の携帯電話機１０によれば、入力手段２０からの入力を無効にして、位置情報の送信を行うことで、第三者による入力操作で、位置情報の送信処理を中断させられることを防止することができ、位置を早期に特定することができる。
また、電源キーを含む入力手段２０からの入力を無効にして、電源手段５０の給電を停止することで、第三者による入力操作に起因した電源消費を低減することができる。
さらに、非接触通信手段９０の通信動作を停止することで、第三者によって電子決済サービス等を不正に利用されることを防止する。
さらに、遠隔操作情報に含まれる時間間隔に従って、位置情報を送信することで、例えば、携帯電話機を紛失した後であっても、位置情報を送信する時間間隔を自由に設定することができる。
さらに、電源残量情報を送信することにより、遠隔操作を行う携帯電話機１１は、電源残量情報を参考にして、電源状態の切り替えや、位置情報を送信する時間間隔の見直し等を行うことができる。
さらに、位置情報を送信している旨の表示を行わないことで、例えば、誘拐事件等で、誘拐犯に気付かれずに位置情報を特定することができる。
なお、上記の各実施の形態では、位置情報をＧＰＳ衛星１０５からの航法メッセージにより特定すると説明したが、これに限定されるものではなく、基地局１０１と通信を行うことにより位置情報を特定してもよい。
【産業上の利用可能性】
【００８８】
以上のように、本発明にかかる無線通信端末及び無線通信端末制御方法は、第三者による不正な使用を防止し、位置を早期に特定することのできるという効果を有し、近年、多機能化に伴って、個人情報が数多く保存されており、電子決済サービスを利用することのできる携帯電話機等として有用である。
【図面の簡単な説明】
【００８９】
【図１】本発明の実施の形態１における携帯電話機の詳細構成を示すブロック図
【図２】本発明の実施の形態１における通信システムの構成を示す図
【図３】本発明の実施の形態１における携帯電話機の概略構成を示すブロック図
【図４】本発明の実施の形態１における遠隔操作情報の作成及び送信を行うときの画面例を示す図
【図５】本発明の実施の形態１における遠隔操作情報のメッセージデータを示す図
【図６】本発明の実施の形態１における携帯電話機が電源オン状態であるときの処理手順を示すフローチャート
【図７】本発明の実施の形態１における携帯電話機が電源オン状態であるときの処理手順を示すフローチャート
【図８】本発明の実施の形態１における携帯電話機が電源オフ状態であるときの処理手順を示すフローチャート
【図９】本発明の実施の形態１における携帯電話機が電源オフ状態であるときの処理手順を示すフローチャート
【図１０】本発明の実施の形態２における携帯電話機の詳細構成を示すブロック図
【図１１】本発明の実施の形態２における遠隔操作情報のメッセージデータを示す図
【図１２】本発明の実施の形態２における携帯電話機が電源オン状態であるときの処理手順を示すフローチャート
【図１３】本発明の実施の形態２における携帯電話機が電源オン状態であるときの処理手順を示すフローチャート
【図１４】本発明の実施の形態２における携帯電話機が電源オフ状態であるときの処理手順を示すフローチャート
【図１５】本発明の実施の形態２における携帯電話機が電源オフ状態であるときの処理手順を示すフローチャート
【符号の説明】
【００９０】
１  通信システム
１０、１１  携帯電話機
２０  入力手段
３０  表示手段
４０  通信手段
５０  電源手段
６０  計時手段
７０  位置情報取得手段
８０  制御手段
８１  遠隔制御手段
８２  入力制御手段
８３  表示制御手段
８４  電源制御手段
８５  計時監視手段
８６  非接触通信制御手段
９０  非接触通信手段
１００  ネットワーク
１０１  基地局
１０２  サーバ装置
１０５  ＧＰＳ衛星
Ｒ５１、Ｒ５２、Ｒ５３、Ｒ５４、Ｒ５５  レコード
Ｒ５６、Ｒ５７、Ｒ５８、Ｒ５９  レコード
【図１】
2007028370.tif 000003
【図２】
2007028370.tif 000004
【図３】
2007028370.tif 000005
【図４】
2007028370.tif 000006
【図５】
2007028370.tif 000007
【図６】
2007028370.tif 000008
【図７】
2007028370.tif 000009
【図８】
2007028370.tif 000010
【図９】
2007028370.tif 000011
【図１０】
2007028370.tif 000012
【図１１】
2007028370.tif 000013
【図１２】
2007028370.tif 000014
【図１３】
2007028370.tif 000015
【図１４】
2007028370.tif 000016
【図１５】
2007028370.tif 000017